(57)【特許請求の範囲】
【請求項１】
浴槽への湯張り機能を備えたふろ給湯器において、
前記浴槽へ注湯する注湯手段と、前記浴槽への注湯量を検出する注湯量検出手段と、前記浴槽内の水位を検出する水位検出手段と、前記浴槽への湯張り動作を制御する湯張り動作制御手段と、所定の水位における前記浴槽の開口面積を求める開口面積算出手段と、前記浴槽の形状を判別する浴槽形状判別手段とを備え、
前記湯張り動作制御手段は、前記注湯手段によって前記浴槽へ任意量を注湯するとともに当該注湯開始時の水位と注湯終了時の水位と今回の注湯量とを前記水位検出手段および前記注湯量検出手段を用いて取得する測定動作を前記浴槽に湯張りする過程で少なくとも２回実行するものであり、
前記開口面積算出手段は、前記各測定動作によって取得した注湯量を対応する測定動作において取得した注湯終了時の水位と注湯開始時の水位との水位差で除した値を前記注湯開始時の水位と前記注湯終了時の水位との中間水位における前記浴槽の開口面積として求めるものであり、
前記浴槽形状判別手段は、前記開口面積算出手段によって求めた一の中間水位における前記浴槽の開口面積と他の一の中間水位における開口面積との面積差と前記一の中間水位と前記他の一の中間水位との水位差とから単位水位当たりにおける前記開口面積の変化量を求め、当該変化量の値に基づいて前記浴槽の形状種別を判別することを特徴とするふろ給湯器。
【請求項２】
浴槽への湯張り機能を備えたふろ給湯器において、
前記浴槽へ注湯する注湯手段と、前記浴槽への注湯量を検出する注湯量検出手段と、前記浴槽内の水位を検出する水位検出手段と、前記浴槽への湯張り動作を制御する湯張り動作制御手段と、所定の水位における前記浴槽の開口面積を求める開口面積算出手段と、前記浴槽のサイズを判別する浴槽サイズ判別手段と、前記浴槽の形状を判別する浴槽形状判別手段と、を備え、
前記湯張り動作制御手段は、前記注湯手段によって前記浴槽へ任意量を注湯するとともに当該注湯開始時の水位と注湯終了時の水位と今回の注湯量とを前記水位検出手段および前記注湯量検出手段を用いて取得する測定動作を前記浴槽に湯張りする過程で少なくとも２回実行するものであり、
前記開口面積算出手段は、前記各測定動作によって取得した注湯量を対応する測定動作において取得した注湯終了時の水位と注湯開始時の水位との水位差で除した値を前記注湯開始時の水位と前記注湯終了時の水位との中間水位における前記浴槽の開口面積として求めるものであり、
前記浴槽サイズ判別手段は、前記開口面積算出手段によって求めた一の中間水位における前記浴槽の開口面積の大きさに基づいて前記浴槽が大型浴槽か否かを判別するものであり、
前記浴槽形状判別手段は、前記開口面積算出手段によって求めた一の中間水位における前記浴槽の開口面積と他の一の中間水位における開口面積との面積差と前記一の中間水位と前記他の一の中間水位との水位差とから単位水位当たりにおける前記開口面積の変化量を求め、当該変化量の値に基づいて前記浴槽の形状種別を判別することを特徴とするふろ給湯器。
【請求項３】
前記湯張り動作制御手段は、前記浴槽サイズ判別手段によって前記浴槽が大型浴槽であることが判明したとき、前記湯張り動作における総注湯量の上限値を通常よりも多い大型浴槽用上限値に切り替えることを特徴とする請求項２記載のふろ給湯器。
【請求項４】
前記開口面積算出手段は、遅くとも２回目の測定動作が終了した時点でそれぞれの測定動作の結果に基づいて前記開口面積を算出し、前記浴槽形状判別手段は、前記開口面積算出手段によって２つの中間水位についての開口面積が算出された時点でこれらに基づき前記浴槽の形状種別を判別することを特徴とする請求項１または２記載のふろ給湯器。
【請求項５】
前記湯張り動作制御手段は、前記浴槽形状判別手段によって前記浴槽が深さの浅い種類であることが判明したとき、以後の湯張り動作を中止することを特徴とする請求項１、２または４記載のふろ給湯器。
【請求項６】
前記湯張り動作制御手段は、浴槽の形状種別ごとに浴槽深さの値を予め記憶した浴槽データ記憶手段を有し、前記浴槽形状判別手段によって前記浴槽の形状種別が判明したとき、その結果に対応する浴槽深さの値をあふれ水位として前記浴槽データ記憶手段から読み出し、今回の湯張り動作の終了水位を前記あふれ水位よりも低い水位に設定変更することを特徴とする請求項１、２または４記載のふろ給湯器。
【請求項７】
前記湯張り動作制御手段は、浴槽の形状種別ごとに浴槽深さの値を予め記憶した浴槽データ記憶手段を有し、前記浴槽形状判別手段によって前記浴槽の形状種別が判明したとき、その結果に対応する浴槽深さの値をあふれ水位として前記浴槽データ記憶手段から読み出すとともに、前記単位水位当たりにおける前記開口面積の変化量と前記一の中間水位における開口面積とから前記浴槽の底から前記あふれ水位に至るまでの注湯量である満水量を求め、前記湯張り動作における総注湯量の上限値を前記満水量に基づいて設定変更することを特徴とする請求項１、２、４または６記載のふろ給湯器。
【請求項８】
前記水位検出手段は、前記浴槽内の水位を所定の基準高からの相対水位として検出するものであり、
前記浴槽形状判別手段によって単位水位当たりにおける前記浴槽の開口面積の変化量が判明したとき、前記開口面積を前記一の中間水位から浴槽の底まで前記一の中間水位における開口面積を初期値として積分した値が前記浴槽の底から前記一の中間水位までの注湯量に相当することに基づき、前記変化量、前記一の中間水位までの注湯量および前記一の中間水位における開口面積の各値から前記相対水位で表された前記一の中間水位を前記浴槽の底からの水位で表した値を求める絶対水位演算手段を備え、
前記絶対水位演算手段の演算結果に基づいて、前記水位検出手段によって検出された各相対水位を前記浴槽の底からの水位に変換して用いることを特徴とする請求項１、２、３、４、５、６または７記載のふろ給湯器。
【請求項９】
前記判別動作を器具設置後の試運転時に実行することを特徴とする請求項１、２、３、４、５、６、７または８記載のふろ給湯器。
【請求項１０】
浴槽の形状種別またはサイズに応じて変更すべき設定項目の値を、前記判別動作の結果に基づいて設定することを特徴とする請求項１、２、３、４、５、６、７、８または９記載のふろ給湯器。
【発明の詳細な説明】
【０００１】
【発明の属する技術分野】
本発明は、浴槽への湯張り機能を備えたふろ給湯器に関する。
【０００２】
【従来の技術】
浴槽は、形状を基準とした場合には、和風型、洋風型、和洋折衷型の３つに大別される。図１０に示すように、和風型のものは、浴槽が深くかつ側壁の傾斜５０１が大きい。洋風型のものは、浴槽が浅くかつ側壁の傾斜５０３が約６３度と小さい。また和洋折衷型は、深さおよび側壁の傾斜５０２がいずれも和風型と洋風型の間にある。
【０００３】
浴槽の深さや側壁の傾斜角度は、和風型、洋風型、和洋折衷型など浴槽の種類ごとにほぼ同一の値が採用されており、たとえば、和風型のものでは、深さがほぼ５８ｃｍ〜６２ｃｍで傾斜は８６度程度になっている。和洋折衷型では深さが５０ｃｍ〜５８ｃｍで傾斜は７４度程度になっている。洋風型では、深さは約４０ｃｍ〜５０ｃｍで傾斜は６３度程度になっている。また、浴槽には大型のものと小型のものがある。
【０００４】
ふろ給湯器では、各種の浴槽形状に対応し得るように、設置されている浴槽の形状種別や大型小型の種別を、電装基板上に設けたディップスイッチやリモコンからの操作によって、現場で作業員が器具設置時等に設定するようになっている。そして、設定された浴槽の形状種別や大型小型の種別に応じて、各種の内部定数や制御を切り替えることで、たとえば、自動湯張り時におけるあふれ防止や、大型浴槽への注湯途中で栓抜けエラーが発生する等の誤動作を防止している。
【０００５】
【発明が解決しようとする課題】
しかしながら、上述のような従来技術では、浴槽の形状種別や大型か否かの設定を、器具設置時等に現場で作業員が行わなければならず、その手間が煩雑であった。また、適切な設定が行われなかった場合には、注湯動作等が適正に行われなくなってしまう。たとえば、浴槽深さの浅い洋風型の浴槽が設置されているにもかかわらず、和風型の浴槽である旨の設定がなされている場合には、設定されている水位レベル如何では、自動湯張り時に浴槽から湯があふれてしまう場合がある。また、大型浴槽にもかかわらず、小型浴槽に設定されたままの場合には、自動湯張り時に所定の上限量を注湯しても設定水位に到達しないので、浴槽底の栓が抜けているものと判定してエラーを上げる場合が生じる等の問題がある。
【０００６】
本発明は、このような従来の技術が有する問題点に着目してなされたもので、浴槽の形状や大きさにかかわらず自動湯張りを適切に行うことのできるふろ給湯器を提供することを目的としている。
【０００７】
【課題を解決するための手段】
かかる目的を達成するための本発明の要旨とするところは、次の各項の発明に存する。
［１］浴槽（４０）への湯張り機能を備えたふろ給湯器において、
前記浴槽（４０）へ注湯する注湯手段（３５）と、前記浴槽（４０）への注湯量を検出する注湯量検出手段（２６ａ、１０６）と、前記浴槽（４０）内の水位を検出する水位検出手段（３７、１０６、１０７）と、前記浴槽（４０）への湯張り動作を制御する湯張り動作制御手段（１０１）と、所定の水位における前記浴槽（４０）の開口面積を求める開口面積算出手段（１０２）と、前記浴槽（４０）の形状を判別する浴槽形状判別手段（１０３）とを備え、
前記湯張り動作制御手段（１０１）は、前記注湯手段（３５）によって前記浴槽（４０）へ任意量を注湯するとともに当該注湯開始時の水位と注湯終了時の水位と今回の注湯量とを前記水位検出手段（３７、１０６、１０７）および前記注湯量検出手段（２６ａ、１０６）を用いて取得する測定動作を前記浴槽（４０）に湯張りする過程で少なくとも２回実行するものであり、
前記開口面積算出手段（１０２）は、前記各測定動作によって取得した注湯量を対応する測定動作において取得した注湯終了時の水位と注湯開始時の水位との水位差で除した値を前記注湯開始時の水位と前記注湯終了時の水位との中間水位における前記浴槽（４０）の開口面積として求めるものであり、
前記浴槽形状判別手段（１０３）は、前記開口面積算出手段（１０２）によって求めた一の中間水位における前記浴槽（４０）の開口面積と他の一の中間水位における開口面積との面積差と前記一の中間水位と前記他の一の中間水位との水位差とから単位水位当たりにおける前記開口面積の変化量を求め、当該変化量の値に基づいて前記浴槽（４０）の形状種別を判別することを特徴とするふろ給湯器。
【００１０】
［２］浴槽（４０）への湯張り機能を備えたふろ給湯器において、
前記浴槽（４０）へ注湯する注湯手段（３５）と、前記浴槽（４０）への注湯量を検出する注湯量検出手段（２６ａ、１０６）と、前記浴槽（４０）内の水位を検出する水位検出手段（３７、１０６、１０７）と、前記浴槽（４０）への湯張り動作を制御する湯張り動作制御手段（１０１）と、所定の水位における前記浴槽（４０）の開口面積を求める開口面積算出手段（１０２）と、前記浴槽（４０）のサイズを判別する浴槽サイズ判別手段（１０４）と、前記浴槽（４０）の形状を判別する浴槽形状判別手段（１０３）と、を備え、
前記湯張り動作制御手段（１０１）は、前記注湯手段（３５）によって前記浴槽（４０）へ任意量を注湯するとともに当該注湯開始時の水位と注湯終了時の水位と今回の注湯量とを前記水位検出手段（３７、１０６、１０７）および前記注湯量検出手段（２６ａ、１０６）を用いて取得する測定動作を前記浴槽（４０）に湯張りする過程で少なくとも２回実行するものであり、
前記開口面積算出手段（１０２）は、前記各測定動作によって取得した注湯量を対応する測定動作において取得した注湯終了時の水位と注湯開始時の水位との水位差で除した値を前記注湯開始時の水位と前記注湯終了時の水位との中間水位における前記浴槽（４０）の開口面積として求めるものであり、
前記浴槽サイズ判別手段（１０４）は、前記開口面積算出手段（１０２）によって求めた一の中間水位における前記浴槽（４０）の開口面積の大きさに基づいて前記浴槽（４０）が大型浴槽（４０）か否かを判別するものであり、
前記浴槽形状判別手段（１０３）は、前記開口面積算出手段（１０２）によって求めた一の中間水位における前記浴槽（４０）の開口面積と他の一の中間水位における開口面積との面積差と前記一の中間水位と前記他の一の中間水位との水位差とから単位水位当たりにおける前記開口面積の変化量を求め、当該変化量の値に基づいて前記浴槽（４０）の形状種別を判別することを特徴とするふろ給湯器。
【００１１】
［３］前記湯張り動作制御手段（１０１）は、前記浴槽サイズ判別手段（１０４）によって前記浴槽（４０）が大型浴槽（４０）であることが判明したとき、前記湯張り動作における総注湯量の上限値を通常よりも多い大型浴槽（４０）用上限値に切り替えることを特徴とする［２］記載のふろ給湯器。
【００１２】
［４］前記開口面積算出手段（１０２）は、遅くとも２回目の測定動作が終了した時点でそれぞれの測定動作の結果に基づいて前記開口面積を算出し、前記浴槽形状判別手段（１０３）は、前記開口面積算出手段（１０２）によって２つの中間水位についての開口面積が算出された時点でこれらに基づき前記浴槽（４０）の形状種別を判別することを特徴とする［１］または［２］記載のふろ給湯器。
【００１３】
［５］前記湯張り動作制御手段（１０１）は、前記浴槽形状判別手段（１０３）によって前記浴槽（４０）が深さの浅い種類であることが判明したとき、以後の湯張り動作を中止することを特徴とする［１］、［２］または［４］記載のふろ給湯器。
【００１４】
［６］前記湯張り動作制御手段（１０１）は、浴槽の形状種別ごとに浴槽深さの値を予め記憶した浴槽データ記憶手段（１０８）を有し、前記浴槽形状判別手段（１０３）によって前記浴槽（４０）の形状種別が判明したとき、その結果に対応する浴槽深さの値をあふれ水位として前記浴槽データ記憶手段（１０８）から読み出し、今回の湯張り動作の終了水位を前記あふれ水位よりも低い水位に設定変更することを特徴とする［１］、［２］または［４］記載のふろ給湯器。
【００１５】
［７］前記湯張り動作制御手段（１０１）は、浴槽の形状種別ごとに浴槽深さの値を予め記憶した浴槽データ記憶手段（１０８）を有し、前記浴槽形状判別手段（１０３）によって前記浴槽（４０）の形状種別が判明したとき、その結果に対応する浴槽深さの値をあふれ水位として前記浴槽データ記憶手段（１０８）から読み出すとともに、前記単位水位当たりにおける前記開口面積の変化量と前記一の中間水位における開口面積とから前記浴槽（４０）の底から前記あふれ水位に至るまでの注湯量である満水量を求め、前記湯張り動作における総注湯量の上限値を前記満水量に基づいて設定変更することを特徴とする［１］、［２］、［４］または［６］記載のふろ給湯器。
【００１６】
［８］前記水位検出手段（３７）は、前記浴槽（４０）内の水位を所定の基準高からの相対水位として検出するものであり、
前記浴槽形状判別手段（１０３）によって単位水位当たりにおける前記浴槽（４０）の開口面積の変化量が判明したとき、前記開口面積を前記一の中間水位から浴槽（４０）の底まで前記一の中間水位における開口面積を初期値として積分した値が前記浴槽（４０）の底から前記一の中間水位までの注湯量に相当することに基づき、前記変化量、前記一の中間水位までの注湯量および前記一の中間水位における開口面積の各値から前記相対水位で表された前記一の中間水位を前記浴槽（４０）の底からの水位で表した値を求める絶対水位演算手段（１０６）を備え、
前記絶対水位演算手段（１０６）の演算結果に基づいて、前記水位検出手段（３７）によって検出された各相対水位を前記浴槽（４０）の底からの水位に変換して用いることを特徴とする［１］、［２］、［３］、［４］、［５］、［６］または［７］記載のふろ給湯器。
【００１７】
［９］前記判別動作を器具設置後の試運転時に実行することを特徴とする［１］、［２］、［３］、［４］、［５］、［６］、［７］または［８］記載のふろ給湯器。
【００１８】
［１０］浴槽（４０）の形状種別またはサイズに応じて変更すべき設定項目の値を、前記判別動作の結果に基づいて設定することを特徴とする［１］、［２］、［３］、［４］、［５］、［６］、［７］、［８］または［９］記載のふろ給湯器。
【００１９】
前記本発明は次のように作用する。
注湯手段（３５）によって浴槽（４０）へ湯張りを行う際に、浴槽（４０）への注湯量を注湯量検出手段（２６ａ、１０６）で検出するとともに、水位検出手段（３７、１０６、１０７）によって浴槽（４０）内の水位を検出する。浴槽形状判別手段（１０３）は、単位注湯量を注湯した際における水位の上昇量が水位の上昇に伴って変化する割合に基づいて浴槽（４０）の形状種別を判別する。
【００２０】
たとえば、和風型浴槽（４０）の場合には、側壁の傾斜が少ないので、浴槽底からの水位上昇に従って、単位注湯量当たりにおける水位の上昇量がゆるやかに減少する。一方、洋風型浴槽（４０）の場合には、側壁の傾斜が大きいので、浴槽底からの水位上昇に伴って、単位注湯量当たりにおける水位の上昇量が急激に減少する。したがって、単位注湯量を注湯した際における水位の上昇量が、水位の上昇に伴ってどのような割合で減少するかを監視することで、浴槽（４０）が和風型、洋風型、和洋折衷型のいずれであるかを判別することができる。
【００２１】
また、湯張り動作制御手段（１０１）は、注湯手段（３５）によって浴槽（４０）へ任意量を注湯するとともに当該注湯開始時の水位と注湯終了時の水位と今回の注湯量とを水位検出手段（３７、１０６、１０７）および注湯量検出手段（２６ａ、１０６）を用いて取得するという測定動作を、浴槽（４０）に湯張りする過程で少なくとも２回実行する。
【００２２】
開口面積算出手段（１０２）は、各測定動作によって取得した注湯量を、対応する測定動作において取得した注湯終了時の水位と注湯開始時の水位との水位差で除した値を注湯開始時の水位と注湯終了時の水位との中間水位における浴槽（４０）の開口面積として求める。たとえば、第１回目の測定動作による注湯量がＮリットルで、この際、水位Ａから水位Ｂに水位が上昇したとすると、水位Ａと水位Ｂの中間水位（ＡＢセンタ水位）における浴槽（４０）の開口面積は、Ｎリットルを水位差（Ｂ−Ａ）で除することによって求まる。また第２回目の測定動作による注湯量がＭリットルで、この際、水位Ｂから水位Ｃへ水位が上昇したとすると、水位Ｂと水位Ｃの中間水位（ＢＣセンタ水位）における浴槽（４０）の開口面積は、Ｍリットルを水位差（Ｃ−Ｂ）で除することによって求まる。
【００２３】
浴槽形状判別手段（１０３）は、開口面積算出手段（１０２）によって求めた一の中間水位における浴槽（４０）の開口面積と他の一の中間水位における開口面積との面積差と、一の中間水位と他の一の中間水位との水位差とから、単位水位当たりにおける開口面積の変化量を求め、当該変化量の値に基づいて浴槽（４０）の形状種別を判別する。
【００２４】
すなわち、先の例では、ＢＣセンタ水位における開口面積とＡＢセンタ水位における開口面積の差をＢＣセンタ水位とＡＢセンタ水位との水位差で除することによって、単位水位当たりにおける開口面積の変化量を求める。当該変化量は、浴槽側壁の傾斜角度に対応した値になるので、変化量の大小によって、浴槽（４０）が和風型、洋風型、和洋折衷型のうちのいずれであるかを判別することができる。
【００２５】
さらに、浴槽サイズ判別手段（１０４）は、いずれかの測定動作によって取得した注湯量を当該測定動作において取得した注湯終了時の水位と注湯開始時の水位との水位差で除した値、すなわち中間水位における開口面積の大きさに基づいて、浴槽（４０）が大型浴槽か否かを判別する。
【００２６】
また湯張り動作制御手段（１０１）は、浴槽サイズ判別手段（１０４）によって大型浴槽であることが判明したとき、湯張り動作における総注湯量の上限値を通常よりも多い大型浴槽用上限値に切り替える。これにより、大型浴槽であっても、設定水位に到達する前に注湯量が上限値を越えて栓抜けエラーが発生してしまう事態が防止され、浴槽（４０）のサイズにかかわらず、適切に湯張りを行うことができる。
【００２７】
また開口面積算出手段（１０２）は、遅くとも２回目の測定動作が終了した時点でそれぞれの測定動作の結果に基づいて開口面積を算出し、浴槽形状判別手段（１０３）は、２つの中間水位についての開口面積が算出された時点でこれらに基づいて浴槽（４０）の形状種別を判別する。これにより浴槽（４０）への注湯量が少ない段階で浴槽（４０）の形状種別が判明するので、以後の注湯量を調整することによって、あふれを有効に防止することができる。
【００２８】
たとえば、湯張り動作制御手段（１０１）は、浴槽形状判別手段（１０３）によって浴槽（４０）が深さの浅い種類であることが判明したとき、以後の湯張り動作を中止する。あるいは浴槽の形状種別ごとに浴槽深さの値を予め記憶した浴槽データ記憶手段（１０８）を設けておき、浴槽形状判別手段（１０３）によって浴槽（４０）の形状種別が判明したとき、その結果に対応する浴槽深さの値をあふれ水位として浴槽データ記憶手段（１０８）から読み出し、今回の湯張り動作の終了水位を、あふれ水位よりも低い水位に設定変更する。これにより、あふれを生じさせることなく、浴槽（４０）の形状種別に応じた適切な水位に湯張りを行うことができる。
【００２９】
また、浴槽（４０）の形状種別が判明したとき、その結果に対応する浴槽深さの値をあふれ水位として浴槽データ記憶手段（１０８）から読み出すとともに、単位水位当たりにおける開口面積の変化量と一の中間水位における開口面積とから浴槽の底からあふれ水位に至るまでの注湯量（満水量）を求め、湯張り動作における総注湯量の上限値を満水量に基づいて設定変更する。これにより、浴槽（４０）の形状種別やサイズに応じた総注湯量の上限値が設定されるので、浴槽の形状種別等にかかわらず栓抜けエラーの検出を適切に行うことができる。
【００３０】
なお、水位検出手段（３７）が、圧力センサのように、浴槽（４０）内の水位を所定の基準高からの相対水位として検出するものである場合には、浴槽の形状種別が判明した時点で、水位検出手段（３７）の検出する相対水位を浴槽底からの水位に絶対水位演算手段（１０６）によって換算する。そして、その結果に基づいて、以後、水位検出手段（３７）の検出する各相対水位を浴槽（４０）の底からの水位に変換して用いる。
【００３１】
すなわち、浴槽形状判別手段（１０３）によって単位水位当たりにおける浴槽（４０）の開口面積の変化量が判明したとき、開口面積を一の中間水位から浴槽の底までこの一の中間水位における開口面積を初期値として積分した値が浴槽の底から一の中間水位までの注湯量に相当することに基づき、変化量、一の中間水位までの注湯量および一の中間水位における開口面積の各値から相対水位で表された一の中間水位を浴槽底からの水位で表した値を求める。これにより、浴槽底における相対水位の値が分かるので、検出される各相対水位を浴槽底からの水位に換算することができる。
【００３２】
また、浴槽の形状種別や大型か否かの判別動作を、器具設置後の試運転時に実行する。これにより、試運転においてもあふれや栓抜けエラー等の発生を防止できる。さらに、浴槽の形状種別やサイズに応じて変更すべき各設定項目の値を、判別動作の結果に基づいて自動設定する。たとえば、湯張り時の水位を使用者が９段階に選択設定し得る場合には、浴槽の形状種別の判別結果からその浴槽の深さが概ね分かるので、判明した浴槽の深さに応じて水位レベル１段階当たりにおける水位の上昇量を設定変更する。これにより、設置されている浴槽（４０）に応じた適切な動作を以後確保することができる。
【００３３】
【発明の実施の形態】
以下、図面に基づき本発明の一実施の形態を説明する。
各図は本発明の一実施の形態を示している。
本発明にかかるふろ給湯器１０は、水栓あるいは浴槽４０内へ給湯する機能と、浴槽４０内の湯を追い焚きする機能と、設定温度の湯を目標水位まで浴槽に湯張りする自動湯張り機能とを備えている。図２に示すように、ふろ給湯器１０は、燃焼室１１を備えており、当該燃焼室１１の下部には、バーナー１２が、燃焼室１１の上部には、バーナー１２からの熱を給水等に伝える熱交換器１３がそれぞれ配置されている。
【００３４】
熱交換器１３には、給湯用の水を流すための給湯用パイプ２１と、追い焚き用に浴槽４０内の水を循環させる追い焚き用循環パイプ３１の双方が通っている。熱交換器１３はバーナー１２からの熱をこれら双方のパイプ２１、３１内の流体へ伝えて加熱する機能を備えた、いわゆる一缶二水路型になっている。
【００３５】
給湯用パイプ２１のうち熱交換器１３の入側へ通じる給水側流路２１ａと、熱交換器１３の出側から延びる出湯側流路２１ｂの間には、固定バイパス路２２と、流量制御弁２３の介挿されたバイパス路２４が接続されている。熱交換器１３で加熱された湯に、固定バイパス路２２、バイパス路２４を通じて給水を混合するとともに、バイパス比を、流量制御弁２３によって制御し得るようになっている。また、給湯用パイプ２１の出湯側流路２１ｂ側には、出湯の総流量やバイパス比を制御するための流量制御弁２５が設けられている。
【００３６】
給湯用パイプ２１の入口部および出口部の近傍にはそれぞれ、通水の有無や通水量を検知するためのフローセンサ２６ａ、２６ｂが設けられている。また、給湯用パイプ２１の入口部近傍には、給水の温度を検知するための入水サーミスタ２７が、熱交換器１３の出口部近傍には、加熱後の湯温を検知するための熱交サーミスタ２８が、さらに給湯用パイプ２１の出口部近傍には、出湯温度を検知するための出湯サーミスタ２９がそれぞれ取り付けられている。また熱交換器１３の給湯フィンパイプのＵベンド部には水管サーミスタ２８ａを設けてある。
【００３７】
追い焚き用循環パイプ３１は、浴槽４０内の水を熱交換器１３側へ戻すふろ戻パイプ部３１ａと、熱交換器１３で加熱後の湯を浴槽４０へ送り出すふろ往パイプ部３１ｂとから構成されている。ふろ戻パイプ部３１ａの途中には循環ポンプ３２と、ふろ戻パイプ部３１ａ内の通水の有無を検知するふろ流水スイッチ３３が設けられている。また、ふろ流水スイッチ３３の近傍には、浴槽４０側から流入する湯の温度を検知するためのふろ温度サーミスタ３４が取り付けてある。
【００３８】
給湯用パイプ２１の出湯側流路２１ｂと、ふろ戻パイプ部３１ａとは、注湯電磁弁３５を備えた注湯パイプ３６で接続されており、熱交換器１３で加熱された給水を注湯パイプ３６を介して浴槽４０へ注湯することができるようになっている。また注湯パイプ３６のうち注湯電磁弁３５よりもふろ戻パイプ部３１ａ側の所定箇所には、浴槽４０内の水位を検出するための圧力センサ３７が取り付けてある。なお浴槽４０へ注湯する際には、流量制御弁２３を閉鎖し、フローセンサ２６ａによって注湯量を検出するようになっている。また注湯動作中に水栓金具側への出湯がフローセンサ２６ｂによって検出されたときは、注湯電磁弁３５を閉じて注湯動作を一時的に中断し、注湯量の計測に誤差が生じることを防止している。
【００３９】
給排気は、燃焼ファン１４によって燃焼室１１の下方側から給気を送風することによって強制的に行われ、排気は燃焼室１１の上部から排出されるようになっている。バーナー１２近傍には、図１では示していない点火装置１５が設けてある。またバーナー１２へ供給される燃焼ガスは、ガス電磁弁１６、元ガス電磁弁１７、ガス切替弁１８によってオンオフ制御されるとともに、ガス比例弁１９によって供給される燃焼ガスの量が調整されるようになっている。
【００４０】
図１は、ふろ給湯器１０の回路構成を示している。ふろ給湯器１０は、ＣＰＵ（中央処理装置）、ＲＯＭ（リード・オンリ・メモリ）、ＲＡＭ（ランダム・アクセス・メモリ）および不揮発性メモリ等を主要部とした回路で構成された制御部１００を有している。制御部１００には、注湯電磁弁３５、フローセンサ２６ａ、２６ｂ、圧力センサ３７、ふろ流水スイッチ３３、循環ポンプ３２を駆動するポンプ駆動回路３８、流量制御弁２３、２５、各種サーミスタ２７、２８、２８ａ、２９、点火装置１５、各種ガス電磁弁１６〜１９および燃焼ファン１４などが接続されている。
【００４１】
また制御部１００には、浴室や台所に設置されるリモコン操作部５０が接続されている。リモコン操作部５０は、使用者からふろ温度、出湯温度、湯張りの水位レベルなど各種の設定を受け付けるほか、自動湯張り運転の開始指示等を受け付ける機能を備えている。
【００４２】
制御部１００は、浴槽４０への湯張り動作を統括制御する湯張り動作制御手段１０１と、所定の水位における浴槽４０の開口面積を計測する開口面積算出手段１０２と、開口面積算出手段１０２によって求めた開口面積に基づいて浴槽４０の形状種別を判別する浴槽形状判別手段１０３と、開口面積に基づいて浴槽４０が大型浴槽か否かを判別する浴槽サイズ判別手段１０４の各機能を果たすようになっている。また制御部１００は、フローセンサ２６ａからの出力信号に基づいて注湯量を算出する注湯量算出手段１０５と、圧力センサ３７の検出する水圧を浴槽底からの水位に変換するための基本演算を実行する絶対水位演算手段１０６と、絶対水位演算手段１０６の演算結果に基づいて圧力センサ３７によって検出される各水圧を浴槽底からの水位に換算する水位換算手段１０７の各機能を果たすようになっている。
【００４３】
さらに制御部１００は、浴槽４０が和風型か、洋風型か、和洋折衷型かを判別するための基準となるデータを予め記憶した浴槽データ記憶手段１０８と、浴槽の形状種別や大型小型の判別結果を記憶する浴槽種別登録手段１０９と、形状種別や大型小型の判別結果に基づいて、各種パラメータの最適値を決定し、これらの値を登録するパラメータ設定手段１１０を備えている。
【００４４】
浴槽データ記憶手段１０８には、浴槽の形状種別ごとに浴槽深さとその側壁の傾斜角度を表したデータが記憶されている。たとえば、和風型の浴槽深さは、通常５８０ｍｍから６２０ｍｍ、和洋折衷型の浴槽深さは、５００ｍｍから５８０ｍｍ、洋風型の浴槽深さは４００ｍｍから５００ｍｍの範囲にある。そこで、ここでは、各範囲の中間値等を各形状種別における浴槽深さの典型値として記憶してある。また側壁の傾斜角度としては、和風型８６度、和洋折衷型７４度、洋風型６３度の各値を記憶している。
【００４５】
なお、実際には傾斜角度で記憶するのではなく、後に説明する開口面積の変化量の典型値を、傾斜角度に対応する値として記憶している。このほか、浴槽データ記憶手段１０８は、大型浴槽か否かを判別するための基準となる開口面積の基準値（基準面積）を記憶している。
【００４６】
パラメータ設定手段１１０は、単位レベル水位幅設定手段１１１と、満水量設定手段１１２とを備えている。本実施の形態にかかるふろ給湯器１０の場合、浴槽に自動湯張りする際の設定水位を、９段階に選択することができ、単位レベル水位幅設定手段１１１は、１段階当たりにおける水位の増減幅を浴槽の形状種別、具体的にはその形状種別に対応する浴槽深さの値に応じて設定変更する機能を備えている。
【００４７】
満水量設定手段１１２は、浴槽の形状種別および大型浴槽か否か等に基づいて、当該浴槽が満水になるまでに要する総注湯量を算出し、これを栓抜けエラーか否かを判断するための基準注湯量に設定する機能を果たすものである。このほか単位レベル水位幅設定手段１１１は、浴槽の形状種別や大型小型の違いに応じて変更すべき各種パラメータの値を、自動判別の結果に基づいて最適な値に設定する機能を有している。
【００４８】
次に作用を説明する。
図３は、ふろ給湯器１０の行う自動湯張り動作の流れを示している。リモコン操作部５０から自動湯張りの指示を受け付けると、まず今回の湯張り動作が試運転であるか否かを判別する（ステップＳ２０１）。具体的には、浴槽種別登録手段１０９に、浴槽の形状種別や大型小型の別が既に登録されているか否かを調べ、これらが未登録のときは今回の湯張り動作が試運転であると判別している。既に試運転が終了している場合には（ステップＳ２０１；Ｎ）、浴槽種別登録手段１０９に登録されている浴槽の形状種別やサイズに基づいて湯張り動作が実行される（ステップＳ２０２）。
【００４９】
試運転であったときには（ステップＳ２０１；Ｙ）、まず、圧力センサ３７によって水位を測定し得る高さまで浴槽４０へ注湯する（ステップＳ２０３）。すなわち、図４に示すように循環金具４１を越える水位まで注湯する。具体的には、当初３０リットルを注湯した後、循環ポンプ３２を駆動し、ふろ流水スイッチ３３がオンするか否かを確認する。ふろ流水スイッチ３３がオンしない場合には、その後１０リットルずつ注湯しては循環ポンプ３２を駆動することを、ふろ流水スイッチ３３がオンになるまで繰り返す。
【００５０】
なお追い焚き用循環パイプ３１内に空気が混入している可能性があるので、ふろ流水スイッチ３３のオンが確認された後、さらに２０リットルを注湯する。これにより圧力センサ３７によって水位を確実に計測し得る状態となる。図４の例では、水位を確実に計測し得る所まで注湯した結果、水位がＡ点になっている。
【００５１】
次に、開口面積算出手段１０２によって第１回目の測定動作と第２回目の測定動作が実行される（ステップＳ２０４、Ｓ２０５）。これらの測定動作の詳細は図５に示すように、まず、現時点での水位Ａを測定し（ステップＳ３０１）、続いて所定注湯量（１）を浴槽４０へ注湯する（ステップＳ３０２）。第１回目の注湯動作を終了した後、注湯終了時点における水位Ｂを測定する（ステップＳ３０３）。
【００５２】
続いて所定注湯量（２）の湯を浴槽４０へ注湯し（ステップＳ３０４）、第２回目の注湯終了時点における水位Ｃを測定する（ステップＳ３０５）。これにより図４に示すような水位Ａ、水位Ｂ、水位Ｃが測定される。なお、ここでは、所定注湯量（１）および所定注湯量（２）としてそれぞれ２０リットルの湯を注湯している。
【００５３】
２回の測定動作を終えた後、浴槽形状判別手段１０３によって浴槽４０の形状種別が判別される（ステップＳ２０６）。当該判別処理の詳細は図６に示すように、まず第１回目の測定動作における所定注湯量（１）を水位Ｂと水位Ａとの水位差で割り、その商を、水位Ａと水位Ｂとの中間水位（ＡＢ間センタ水位）における浴槽４０の開口面積（ＡＢ間の平均開口面積…図７、６１）として求める（ステップＳ４０１）。続いて第２回目の測定動作における所定注湯量（２）を水位Ｃと水位Ｂとの水位差で割り、その商を、水位Ｂと水位Ｃとの中間水位（ＢＣ間センタ水位）における浴槽４０の開口面積（ＢＣ間の平均開口面積…図７、６２）として求める（ステップＳ４０２）。
【００５４】
さらに、水位Ａと水位Ｂとの中間水位（ＡＢ間センタ水位…図７、６３）の値と、水位Ｂと水位Ｃとの中間水位（ＢＣ間センタ水位…図７、６４）の値とをそれぞれ求める（ステップＳ４０３、Ｓ４０４）。次に、上述のようにして求めたＢＣ間の平均開口面積とＡＢ間の平均開口面積との差を、ＢＣ間センタ水位とＡＢ間センタ水位との水位差で割りその商を、単位水位当たりにおける開口面積の変化量として求める（ステップＳ４０５）。
【００５５】
図８に示すように、水位を横軸に、開口面積を縦軸にとった座標上に、ＡＢ間センタ水位における開口面積を示す点７１と、ＢＣ間センタ水位における開口面積を示す点７２とをプロットすることができるので、同図に示すような、水位と浴槽４０の開口面積との関係を示す直線状のグラフ７３を描くことができる。このグラフ７３の傾きが、先に求めた開口面積の変化量に対応している。
【００５６】
次に、浴槽形状判別手段１０３は、浴槽データ記憶手段１０８に各形状種別（和風型、和洋折衷型、洋風型）ごとに予め記憶されている開口面積の変化量の典型値と、今回実測した開口面積の変化量とを比較し、典型値との差が最も少ない形状種別が浴槽４０の形状種別であると判別する（ステップＳ４０６）。
【００５７】
続いて浴槽サイズ判別手段１０４によって、浴槽４０が大型か否かの判別が行われる（図３、ステップＳ２０７）。大型浴槽か否かの判別は、ＡＢ間センタ水位における開口面積あるいはＢＣ間センタ水位における開口面積のいずれかを、浴槽データ記憶手段１０８に記憶してある基準面積と大小比較することによって行われる。すなわち、測定によって求めた開口面積が基準面積よりも大きい場合には、大型浴槽であると判別し、基準面積より小さい場合には、小型浴槽であると判別する。
【００５８】
このようにして判別した浴槽の形状種別と大型小型の種別とを、制御部１００の有する不揮発性のメモリ（浴槽種別登録手段１０９）に記憶する（ステップＳ２０８）。これにより、次回からは、試運転モードに入ることなく、登録されているデータに従って適切な湯張り動作が行われる。
【００５９】
浴槽種別登録手段１０９への登録を実行した後、圧力センサ３７によって検出される相対水位を浴槽４０の底からの水位に変換するための基本演算を行う（ステップＳ２０９）。圧力センサ３７は単なる圧力センサなので、２つの水位の差を認識することはできるが、浴槽４０の底から何ｃｍの水位にあるかは分からない。一方、水位が循環金具４１を越えた時点を認識できるので、圧力センサ３７の検出する圧力を循環金具４１の高さを基準とした水位に変換することはできる。しかしながら、循環金具４１の取り付け位置は設置ごとに誤差が生じる。すなわち、循環金具４１の取り付け位置を浴槽の底から１５０ｍｍにすべきことを設置指示書等で規定したとしても、設置時に正しくその高さに循環金具４１が取り付けられる保障はない。
【００６０】
そこで、先に求めたＡＢ間の平均開口面積とＡＢ間センタ水位までの総注湯量と、後に示す水位と開口面積との関係式とから、浴槽４０の底からのＡＢ間センタ水位までの距離を求め、これを基準として圧力センサ３７の検出する水位を浴槽底からの水位に変換する。
【００６１】
図８に示すグラフを浴槽の底の水位を原点として書き直すと図９のようになる。グラフ７３は、２つの点７１、点７２を結ぶ直線なので、ｙ＝ａｘ＋ｂという一次関数で表される。ここで、ｘは浴槽４０底からの水位を表す変数であり、その係数ａは単位水位当たりにおける開口面積の変化量であって既知である。ｂは、浴槽底における面積であるが、現時点では不明である。
【００６２】
図９の斜線で示した部分の面積８１は、ＡＢ間センタ水位に至るまでの総注湯量であって、次式により求まる。
【００６３】
【数１】
0003848791.tif 000002
【００６４】
ただし、Ｘ１は、Ａ点水位とＡＢ間センタ水位の差およびＡＢ間センタ水位の差とＢ点水位との差、ａＸ１は、水位がＸ１だけ変化したときの開口面積の変化量、ＬＡは、Ａ点までの総注湯量、ＬＢはＢ点までの総注湯量をそれぞれ示している。またａは、単位水位当たりにおける開口面積の変化量である。なお、ａが一定なので、図９の中の格子状部分８２、８３の面積が互いに等しくなり、上記の式が成立している。
【００６５】
Ｘは、浴槽の底を０とした場合におけるＡＢ間センタ水位であり、当該値が今回求めるべき値である。ＹはＡＢ間センタ水位における浴槽４０の開口面積であってこれまた既知の値である。
【００６６】
したがって、ａ（単位水位当たりにおける開口面積の変化量）と、Ｌ（ＡＢ間センタ水位までの総注湯量）とＹ（ＡＢ間センタ水位における開口面積）という既知の値から、ｂ（浴槽底の面積）およびＸ（浴槽の底を０とした場合におけるＡＢ間センタ水位）とを求めればよいことになる。
【００６７】
具体的には、ｙ＝ａｘ＋ｂの関係式を水位０からＸまで積分した値が、Ｌ（総注湯量）になること、および上記関係式にＸを代入した場合におけるｙの値がＹ（ＡＢ間センタ水位における開口面積）になることを用いて、Ｘおよびｂの値を求める。すなわち、ｙ＝ａｘ＋ｂを水位０からＸまで積分した値は次式で表される。
【００６８】
【数２】
0003848791.tif 000003
【００６９】
上記式の値はＬと等しいので、次式が成立する。
【００７０】
【数３】
0003848791.tif 000004
【００７１】
ｙ＝ａｘ＋ｂに（Ｘ、Ｙ）を代入すると次式が得られる。
【００７２】
【数４】
0003848791.tif 000005
【００７３】
式（３）および式（４）から、ｂを求めると以下のようになる。
【００７４】
【数５】
0003848791.tif 000006
【００７５】
ここでｂ＞０が成立するので、ｂは次式で与えられる。
【００７６】
【数６】
0003848791.tif 000007
【００７７】
式（６）で求めたｂを式（４）に代入し、Ｘを求めると次式となる。
【００７８】
【数７】
0003848791.tif 000008
【００７９】
このようにして浴槽の底を０にとった場合におけるＡＢ間センタ水位が求まるので、これを基準として圧力センサ３７の検出する各水位を浴槽底を基準とした水位に変換することが可能になる。
【００８０】
次に、このようにして求めた浴槽４０の底からの水位に基づいて、湯張り終了時の水位を自動設定する（図３、ステップＳ２１０）。すなわち、浴槽の形状種別が既に判明しているので、これに基づいて当該浴槽におけるあふれ水位を浴槽データ記憶手段１０８から読み出す。また上述の演算結果に基づいて圧力センサ３７の検出する水位を浴槽底を基準とした水位に変換することができるので、後何ｃｍ注湯するとあふれるかを具体的に認識することができる。そこで、あふれ水位よりも下になるように湯張り終了時の水位を設定変更する。
【００８１】
次に、当該浴槽における満水量を演算によって求め、これに基づいて栓抜けエラーか否かの判定基準となる注湯量（注湯リミット値）を決定し登録する（図３、ステップＳ２１０）。これまでの動作によって、既に浴槽４０の形状種別が判明しているので、この形状種別に対応するあふれ水位を浴槽データ記憶手段１０８から読み出す。また浴槽４０の底の面積ｂも既に分かっているので、ｙ＝ａｘ＋ｂの関係式を水位０からあふれ水位まで積分することによって、当該浴槽における満水量を求め、この値を注湯リミット値に設定する。
【００８２】
なお、小型浴槽に対する注湯リミット値を標準値として設定しておけば、大型浴槽であることが判明した場合にだけ、上述の演算を行って注湯リミット値を変更するようにしてもよい。
【００８３】
次に、判明した浴槽の形状種別や大型小型の別に応じて、これらに関連するパラメータの値を設定する（図３、ステップＳ２１２）。浴槽に自動湯張りする際の設定水位は、本実施の形態におけるふろ給湯器１０の場合、９段階に選択することができるので、１段階当たりにおける水位の増減幅を浴槽の形状種別、具体的にはその形状種別に対応する浴槽深さの値に応じて設定変更する。
【００８４】
たとえば、浴槽が和風型の場合には、水位レベル１段階当たりにおける水位差を４ｃｍに設定し、洋風型の場合には３ｃｍ等に設定する。また、リモコン操作部５０に設けられた所定のスイッチを押下することで湯を一定量追加する機能を備えている場合には、このスイッチが押下された際にどれだけの湯を注湯し追加するかを浴槽の形状種別等に応じて設定変更する。
【００８５】
たとえば、水位が１ｃｍだけ上昇する湯量は、浴槽の形状種別や大型か否かによって異なるので、どのタイプの浴槽であっても当該スイッチが押下された際に水位が一定幅だけ上昇するように予め浴槽の形状種別等に基づいて追加する注湯量を設定し登録しておく。
【００８６】
このようなパラメータ設定を行った後、設定された水位になるまで注湯し、湯張り動作を終了する（ステップＳ２１３）。
以上のように、自動湯張りの試運転時に、器具自身で浴槽の形状や大きさを判別するので、作業員による現場で設定作業が不要になり、設置作業工数が低減されるとともに、誤設定を回避することができる。さらに浴槽の形状や大きさの判別結果に基づいて、注湯量や栓抜けエラーの検出基準となる湯量等を器具自身で設定するので、浴槽が深さの浅い洋風型であっても自動湯張りの試運転時に湯が浴槽からあふれてしまうことが防止される。また大型浴槽であっても自動湯張りの試運転時に栓抜けエラーの誤検出が防止される。
【００８７】
なお、２回目の測定動作が終了した時点ですぐに浴槽の形状種別を判別するので、浴槽への注湯量が少ない段階で浴槽の形状種別が判明する。すなわち、深さの浅い洋風型浴槽であっても、あふれが生じる前に浴槽の形状種別を判別することができる。さらに第１回目の測定動作を終了した水位Ｂから第２回目の測定動作を開始するので、２回目の測定動作終了までに無駄な注湯が無く、最も少ない注湯量で浴槽の形状種類を判別することができる。
【００８８】
以上説明した実施の形態では、浴槽の形状種別を判別し、その結果に応じて湯張り動作終了時の設定水位を自動変更するようにしたが、たとえば、洋風型のように浅いタイプであることが判明した場合に、それ以後の湯張り動作を中止することであふれを防止するようにしてもよい。また、実施の形態では、浴槽の満水量を求め、これに従って注湯リミット値を設定変更するようにしたが、小型浴槽に対する注湯リミット値を標準値として予め設定しておけば、大型浴槽であることが判明したときだけ大型浴槽用の注湯リミット値に変更すればよい。
【００８９】
さらに実施の形態では、湯張り動作終了時の水位があふれ水位以下になるように湯張り動作の途中で終了水位を自動設定したが、たとえば、パラメータ設定で行ったように１段階当たりの水位増減幅を浴槽の形状種別に応じて変更すれば、同じ水位レベルであっても浴槽底からの水位は浴槽の形状種別などに応じて変化するので、湯張り動作開始時等に設定されている水位レベルになるように注湯しても、あふれの生じる可能性を低減することができる。
【００９０】
また、浴槽の形状種別が判明すればあふれ水位を概ね把握できるので、たとえば循環金具４１よりも少し上の水位Ａからあふれ水位までを９段階等に分割して１段階当たりの水位増減幅を決定すれば、最上位の水位レベルに設定された場合であってもあふれを防止することができる。このほか、浴槽形状が判明することによってあふれ水位が分かるので、当該あふれ水位以上になる水位レベルを設定禁止にするようにしてもよい。
【００９１】
さらに、実施の形態では、測定によって得た開口面積と予め固定的に定めた１つの基準面積とを比較することで大型浴槽か否かの判別を行うようにしたが、浴槽形状の種別や開口面積を取得した際の水位に応じて比較対象の基準面積を変更するようにしてもよい。すなわち、各種の水位に対応する基準面積を各浴槽形状ごとに予め浴槽データ記憶手段１０８内に記憶しておき、これらの中から浴槽形状判別手段１０３によって判別された浴槽形状であって比較する開口面積を測定した際の水位に対応した基準面積を浴槽データ記憶手段１０８から読み出し、この面積と実測した開口面積とを大小比較すれば、大型浴槽か否かの判別をより正確に行うことができる。
【００９２】
また実施の形態では、２回の測定動作を終えた後に、開口面積の演算を行ったが、各測定動作の終了時点でその測定の結果に基づいて開口面積の演算を行うようにしてもよい。
【００９３】
さらに、実施の形態では単位水位当たりにおける開口面積の変化量を測定することによって浴槽形状等を判別したが、単位注湯量を注湯した際における水位の上昇量が水位の上昇に伴って変化する割合に基づいて浴槽形状を判別するようにしてもよい。すなわち、側壁の傾斜が少ない和風型浴槽の場合には、浴槽底からの水位上昇に従って、単位注湯量当たりにおける水位の上昇量がゆるやかに減少し、側壁の傾斜が大きい洋風型浴槽では、浴槽底からの水位上昇に伴って、単位注湯量当たりにおける水位の上昇量が急激に減少する。したがって、単位注湯量を注湯した際における水位の上昇量が、水位の上昇に伴ってどのような割合で減少するかを監視することで、浴槽が和風型、洋風型、和洋折衷型のいずれであるかを判別することができる。
【００９４】
また実施の形態では、注湯中に水位測定ができない為に、各注湯動作の前後において水位を測定するようにしたが、注湯中に水位の測定が可能な場合には、逐次水位を測定するようにしてもよい。たとえば、注湯パイプ３６とふろ戻パイプ部３１ａとの接続点に三方弁を配置し、注湯動作時に注湯パイプ３６からふろ戻パイプ部３１ａに流れ込む湯が熱交換器１３側のみ流れ、循環ポンプ３２側へ流れないようにするとともに、圧力センサ３７をふろ戻パイプ部３１ａのうち注湯時に湯の流れない側に配置すれば、注湯中に水位の測定を行うことが可能になる。なお、単位注湯量を注湯した際における水位の上昇量が水位の上昇に伴って変化する割合に基づいて浴槽形状を判別する場合には、注湯中に水位測定可能なことが望ましい。
【００９５】
このほか実施の形態では、ふろ給湯器１０として一缶二水路型のものを用いたが、注湯機能を備えていれば良く熱交換器の形式は例示したものに限定されない。
【００９６】
【発明の効果】
本発明にかかるふろ給湯器によれば、湯張り動作中に、器具自身で浴槽の形状や大きさを判別するので、作業員による現場での設定作業が不要になり、設置作業にかかる工数を低減できるとともに、誤設定を回避することができる。さらに浴槽の形状や大きさの判別結果に基づいて、注湯量や栓抜けエラーの検出基準となる湯量等を器具自身で設定するので、浴槽が深さの浅い洋風型であっても湯張り時のあふれを防止でき、大型浴槽では栓抜けエラーの誤検出を防止できる。
【図面の簡単な説明】
【図１】本発明の一実施の形態に係るふろ給湯器の回路構成を示すブロック図である。
【図２】本発明の一実施の形態に係るふろ給湯器の構成を示す説明図である。
【図３】本発明の一実施の形態に係るふろ給湯器が自動湯張りする際の動作の流れを示す流れ図である。
【図４】本発明の一実施の形態に係るふろ給湯器が測定動作において計測する各水位を示す説明図である。
【図５】本発明の一実施の形態に係るふろ給湯器が行う測定動作の流れを示す流れ図である。
【図６】本発明の一実施の形態に係るふろ給湯器の行う浴槽形状判別処理の流れを示す流れ図である。
【図７】本発明の一実施の形態に係るふろ給湯器が各測定動作の結果に基づいて算出する中間水位および各中間水位における開口面積を示す説明図である。
【図８】開口面積の変化量をグラフ化して表した説明図である。
【図９】本発明の一実施の形態に係るふろ給湯器が圧力センサの検知する相対水位を浴槽底を基準とした水位に変換する際の原理を示す説明図である。
【図１０】和風型、洋風型、和洋折衷型の浴槽の形状の違いを示す説明図である。
【符号の説明】
１０…ふろ給湯器
１２…バーナー
１３…熱交換器
２１…給湯用パイプ
２６ａ、２６ｂ…フローセンサ
３１…追い焚き用循環パイプ
３２…循環ポンプ
３３…ふろ流水スイッチ
３５…注湯電磁弁
３６…注湯パイプ
３７…圧力センサ
３８…ポンプ駆動回路
４０…浴槽
４１…循環金具
５０…リモコン操作部
１００…制御部
１０１…湯張り動作制御手段
１０２…開口面積算出手段
１０３…浴槽形状判別手段
１０４…浴槽サイズ判別手段
１０５…注湯量算出手段
１０６…絶対水位演算手段
１０７…水位換算手段
１０８…浴槽データ記憶手段
１０９…浴槽種別登録手段
１１０…パラメータ設定手段
１１１…単位レベル水位幅設定手段
１１２…満水量設定手段
【図１】
0003848791.tif 000009
【図２】
0003848791.tif 000010
【図３】
0003848791.tif 000011
【図４】
0003848791.tif 000012
【図５】
0003848791.tif 000013
【図６】
0003848791.tif 000014
【図７】
0003848791.tif 000015
【図８】
0003848791.tif 000016
【図９】
0003848791.tif 000017
【図１０】
0003848791.tif 000018